(57)【要約】【課題】  問診シートおよび診察券を効果的に利用し、医療者と患者の間のコミュニケーションを円滑にする。【解決手段】  裏面に来院目的情報１３ａ、１３ｂ、１３ｃおよび１３ｄが記載されている診察券１ａと、前記来院目的情報１３ａ、１３ｂ、１３ｃおよび１３ｄのうちの複数を隠すことができる不透明部分１４を有する透明な診察券ケース１ｂと、問診項目に対してレーダーチャート形式回答欄１６ａを有する、透明もしくは半透明の問診シート。【選択図】図５
2008168606.tif 000002
【特許請求の範囲】
【請求項１】
透明若しくは半透明のシートから構成され、前記シートは、問診項目と、前記問診に対する回答欄とを有し、前記回答欄は、前記問診項目に対する複数の回答事項と、前記複数の回答事項毎のチェック欄を有する問診シート。
【請求項２】
前記回答欄は、グラフ形式回答欄およびレーダーチャート形式回答欄の少なくとも一方の形式の解答欄を有する請求項１記載の問診シート。
【請求項３】
前記グラフ形式回答欄は、複数の回答事項を線で結んだものであり、前記複数の回答事項に対応してチェック欄が設けられている請求項２記載の問診シート。
【請求項４】
前記レーダーチャート形式回答欄は、中心点から３つ以上の線が放射状に伸びたものであり、前記線上に、前記複数の回答事項に対応するチェック欄が設けられている請求項２または３記載の問診シート。
【請求項５】
さらに、前記複数の問診項目の上位概念項目および前記複数の問診項目の関連項目の少なくとも一方を有し、前記上位概念項目および関連項目が、前記問診項目および回答欄よりも薄く印刷されている請求項１から４のいずれか一項に記載の問診シート。
【請求項６】
問診シートを用いた問診方法であって、前記問診シートは、請求項１から５のいずれか一項に記載の問診シートであり、患者が記載した同一種類の問診シートを２枚以上重ねることにより、前記２枚以上の問診シートにおける前記回答事項毎のチェック欄にチェックされた箇所を比較することを特徴とする問診方法。
【請求項７】
問診シートと診察券を有する問診セットであり、前記問診シートは、請求項１から５のいずれか一項に記載の問診シートであり、前記診察券は、診察券本体と、前記診察券を挿入するケースから構成され、前記ケースの一部が透明であり、前記ケースの他の部が着色若しくは不透明であり、前記診察券本体には、前記問診シートの問診事項に関する複数の事項が印刷され、前記診察券をケースに挿入することで、前記複数の事項の一部は、前記ケースの透明部から視認可能となり、前記複数の事項の他の部は、前記着色もしくは不透明により視認不可となる問診セット。
【発明の詳細な説明】
【技術分野】
【０００１】  本発明は、診察券及び問診シートからなる、例えば診療所向けの、医師診察補助ツールとしての問診セットに関するものである。
【背景技術】
【０００２】  従来、例えば一般的な診療所において、医師が診察する前に患者の症状を把握する手段は、問診表または看護師等医療者による問診によるものであった。問診表は、書いている時点で感じている症状や既往歴などを書くものであり、患者が書きやすいような工夫がされたりは特にせず、基本的に図がほとんど使用されず小さな文字で様々な症状が専門用語で書かれていてその中から選ばせたり、患者自身が字を書いて症状を記入するものがほとんどである。【０００３】  さらに、診察券は一般的に患者氏名・患者番号・保険証の種類・前回来院日・病院の諸情報（電話番号、アクセス等）のような、受付・会計時に必要となる情報が掲載されているだけの例えば紙製の名刺サイズのカードであった。【０００４】  以上のように、問診表や診察券は、一般に患者と医療者がコミュニケーションをとる道具として捕らえられておらず、わずかに、患者と医療者の言語が異なり、会話によって意思疎通ができない場合を想定して問診表にコミュニケーションを補助する役割が考えられているのみである（特許文献１参照）。
【特許文献１】  特開２００４−２６８４７４
【発明の開示】
【発明が解決しようとする課題】
【０００５】  従って、問診表に関しては現在の症状を聞くものでしかなく、時間軸にそった症状の経過は読み取れず、医師が患者の症状をきちんと把握する際、問診表はあまり効果的に利用されておらず、最終的は医療者による問診により患者の症状を正確に把握していた。さらにその問診表は症状の強度について適切に表現できる形態ではなかったため、複数の症状が出ている場合それぞれの症状の強さが表現できず、予診としての十分な機能を果たしていなかった。また医療者の視点から作られており、専門用語なども多く使われているため患者にとっては書きづらい・わかりにくい部分が多かった。病院に来る人は病気で体調がよくないため、煩わしい作業は健常時より負担がかなり重くなる。さらにインフォームドコンセントに有効活用されておらず、会計時の受付対応にも活かされていなかった。このように、従来の問診表は患者にとって負担が大きく医師にとってメリットがあまりないものであった。【０００６】  そこで本発明においては、患者には最小の負担で、医療者には最大の効率で問診などの患者と医療者のコミュニケーションをとることが可能な問診シート、これを用いた問診方法および問診セットを提供することを目的とする。
【課題を解決するための手段】
【０００７】  前記目的を達成するために、本発明の問診シートは、透明若しくは半透明のシートから構成され、前記シートは、問診項目と、前記問診に対する回答欄とを有し、前記回答欄は、前記問診項目に対する複数の回答事項と、前記複数の回答事項毎のチェック欄を有することを特徴とする。【０００８】  本発明の問診方法は、問診シートを用いた問診方法であって、前記問診シートは、本発明の問診シートであり、患者が記載した同一種類の問診シートを２枚以上重ねることにより、前記２枚以上の問診シートにおける前記回答事項毎のチェック欄にチェックされた箇所を比較することを特徴とする。【０００９】  本発明の問診セットは、問診シートと診察券を有する問診セットであり、前記問診シートは、本発明の問診シートであり、前記診察券は、診察券本体と、前記診察券を挿入するケースから構成され、前記ケースの一部が透明であり、前記ケースの他の部が着色若しくは不透明であり、前記診察券本体には、前記問診シートの問診事項に関する複数の事項が印刷され、前記診察券をケースに挿入することで、前記複数の事項の一部は、前記ケースの透明部から視認可能となり、前記複数の事項の他の部は、前記着色もしくは不透明により視認不可となることを特徴とする。
【発明の効果】
【００１０】  本発明の問診シートは、透明若しくは半透明である。したがって、患者が記載した同一種類の問診シートを２枚以上重ねることにより、前記２枚以上の問診シートにおける前記回答事項毎のチェック欄にチェックされた箇所を比較することが可能である。例えば、前回の来院時に記入した問診シートと、今回の来院時に記入した問診シートを重ねることで、症状の変化を一目で、かつ視覚的に確認することが可能である。また、本発明の問診セットは、本発明の問診シートと、前記診察券がセットとなったものである。前記診察券は、問診に関する複数の事項が記載されており、例えば、患者が診察券を来院時に提出する際に、複数の事項の一部を視認可能なように選択してケースに挿入して提出することで、口頭で説明しなくても意思表示をすることが可能である。診察券を受け取った病院側は、診察券と対応させて問診シートを準備して患者に渡し、患者は、問診シートに所定事項をチェックするだけで、問診に回答することが可能である。回答された問診シートは、診察券とセットにして医者や看護師に渡されることにより、医者等は、診察券の情報と問診シートの回答の情報から、症状等の患者情報を得ることが可能となる。この結果、患者に負担をかけることなく、診察や治療等に必要な情報が医師等に伝わり、患者と病院との間のコミュニケーションが円滑に実施される。
【発明を実施するための最良の形態】
【００１１】  本発明の問診シートにおいて、前記回答欄は、グラフ形式回答欄およびレーダーチャート形式回答欄の少なくとも一方の形式の解答欄を有することが好ましい。前記グラフ形式回答欄は、複数の回答事項を線で結んだものであり、前記複数の回答事項に対応してチェック欄が設けられていることが好ましい。前記レーダーチャート形式回答欄は、中心点から３つ以上の線が放射状に伸びたものであり、前記線上に、前記複数の回答事項に対応するチェック欄が設けられていることが好ましい。【００１２】  本発明の問診シートにおいて、さらに、前記複数の問診項目の上位概念項目および前記複数の問診項目の関連項目の少なくとも一方を有し、前記上位概念項目および関連項目が、前記問診項目および回答欄よりも薄く印刷されていることが好ましい。【００１３】  つぎに、本発明の一実施形態について説明する。【００１４】  診察券に来院目的を書くことで、来院時に適切な初期対応をし、会計時にも症状に応じたことばをかけてコミュニケーションをとることで、医療者と患者の関係が改善される。また体温測定や血圧測定などの予備診療を迅速且つ的確に行ったり、必要な医療機器、検査機器を準備することができ、診療効率の向上をも期待できる【００１５】  問診シートを重ね合わせ透かして見ることで、その患者の症状の改善度合いや自覚症状の変化を知ることができる。また、病気ごとの典型的な症例のシートなどを活用することにより、視覚的に患者に病状を説明することができる。【００１６】  本発明の問診セットにおける診察券において、前記診察券の形状が正方形であることが好ましい。その表面には病院の名称、電話番号、Ｆａｘ番号、Ｅｍａｉｌアドレス等の病院に関する情報等の固定情報と、患者名や患者のカルテナンバー等の可変情報とが記載されているという態様であってもよい。また裏面には各辺に平行に印字された来院目的情報が「風邪」「定期薬」「痛み」「その他」であるという態様であってもよい。【００１７】  本発明の問診セットにおける診察券ケースにおいて、前記診察券ケースの形状が前記診察券よりも一回り大きい正方形であり、その下側が開口部となっており、その他三辺は閉じられている、二枚の無色透明のビニールの三辺を張り合わせた袋状であることが望ましい。【００１８】  本発明の問診セットにおける問診シートにおいて、半透明の紙で作られており、前記診察券に記載の来院目的情報に対応して複数種類の前記問診シートを用意しておくことが望ましい。【００１９】  次に、本発明の問診セットを、実施例により説明する。ただし、本発明の問診セットは、後記実施例に、限定もしくは制限されない。【００２０】  図１から図４に、本発明の問診セットにおける、診察券と診察券ケースの一実施例を示す。前記図１から図４において、同一部分には同一符号を付している。【００２１】  図１の平面図に、本実施例の診察券の表面を示す。図示のように、この診察券１ａの表面には、患者名や患者のカルテナンバー等の可変情報記入部１１が診察券１ａの略中央部に記載され、その上下に、病院の名称、電話番号、Ｆａｘ番号、Ｅｍａｉｌアドレス等の病院に関する情報等の固定情報１２が記載されている。【００２２】  図２の平面図に、本実施例の診察券の裏面を示す。図示のように、この診察券１ａの裏面には、各辺に沿って、各辺に平行に、記載の文字の上部が各辺の側にあり下部が診察券１ａの中心部の側にあるように、患者の来院目的情報１３ａ、１３ｂ、１３ｃおよび１３ｄが記載されている。本実施例では、１３ａに「風邪」、１３ｂに「定期薬」、１３ｃに「痛み」、１３ｄに「その他」と記載されている。【００２３】  本発明の問診セットにおける診察券１ａのサイズは特に制限されないが、本実施例においては例えば、一片が５．５センチの正方形となっている。また、診察券１ａの材質は特に制限されないが、本実地例においては紙を利用している。他にも例えば、プラスチック等を利用する例が考えられる。【００２４】  図３の平面図に、本実施例の診察券ケースの裏面を示す。本実施例の診察券ケース１ｂは二枚の無色透明の正方形のビニールの三辺２４ｂ、２４ｃ、２４ｄが貼りあわされ、残った一辺２４ａが開口部となっている。診察券ケース１ｂの裏面の略中央上部には「です。」という文字１５が記載されている。この文字は、例えば後述の図４に示すように診察券１ａを診察券ケース１ｂに挿入した際、患者の来院目的情報１３ａ、１３ｂ、１３ｃまたは１３ｄが文字１５の上部に位置し、裏側を見たときに「風邪です。」という一文として読めるような位置に調整してある。また、辺２４ａ、２４ｃおよび２４ｄ上には、塗りつぶし部分１４が印刷されている。塗りつぶし部分１４は、例えば後述の図４に示すように診察券１ａを診察券ケース１ｂに挿入した際、患者の来院目的情報１３ａ、１３ｂ、１３ｃおよび１３ｄのうち、辺２４ｂに沿った来院目的情報を除いた３つの来院目的情報が裏側を見たときに視認できないような色、位置に調整されている。また、本実施例の診察券ケース１ｂの表面は無色透明のままである。【００２５】  本発明の問診セットにおける診察券ケース１ｂのサイズは特に制限されないが、診察券１ａよりも一回り大きなサイズであることが望ましい。本実施例では、一辺が６．２センチとしている。また、診察券ケース１ｂの材質は特に制限されないが、本実地例においては軟質ビニールを利用している。他にも例えば、硬質ビニール、ＯＨＰ、プラスチック、透明フィルムなどの透ける素材を利用する例が考えられる。【００２６】  図４に、本実施例の診察券と診察券ケースを使用する状態を示す。図示のように、来院前の患者は、診察券１ａの来院目的情報１３ａ、１３ｂ、１３ｃおよび１３ｄのうち自分の目的にあった項目を選択し、その項目が辺２４ｂに沿い、文字１５の上部に位置するよう辺２５から診察券ケース１ｂの二枚のビニールの間に挿入する。同図によれば、来院目的情報１３ａの「風邪」を辺２４ｂに沿うよう挿入している。その結果、挿入完了時に裏面を見ると「風邪です。」という文章が読み取れ、それ以外の１３ｂの「定期薬」、１３ｃの「痛み」、１３ｄの「その他」の項目は塗りつぶし部分１４によって視認できない状態になっている。患者はこの状態で裏面を上にして診察券１ａおよび診察券ケース１ｂを提出することで、病院側に来院目的の意思表示をすることが可能である。【００２７】  図５から図１３に、本発明の問診セットにおける、問��シートの一実施例を示す。前記図５から図１３において、同一部分には同一符号を付している。【００２８】  本実施例の問診シート２ａは、半透明のトレーシングペーパーからなる。他にも例えば、透明セルロイド紙のような半透明の紙であれば何を利用してもよい。本実施例では、来院目的情報１３ａ、１３ｂ、１３ｃおよび１３ｄに対応した「風邪用」「定期薬用」「痛み用」「その他用」の４種類の問診シート２ａを作成する。問診シート２ａの形は特に制限されないが、後述の図５から図１３に示すように、本実施例では正方形としている。【００２９】  図５に、本発明の問診セットにおける問診シートの「風邪用」を示す。図示のように本実施例では、略中央部に薄く大きな文字で背景１８ａとして「風邪」が記載されている。その上に重ねて、症状の強度を四段階で表現することのできる正六角形のレーダーチャート１６ａが記載されている。症状の強度の段階数や、レーダーチャートの形は特に制限されないが、本実施例ではそれぞれ四段階、正六角形としている。レーダーチャート１６ａの四段階の強度の説明書き１７が、略左下部に記載されている。段階は、レーダーチャートの外側に行くほど強くなっており、内側から順に「症状なし」「少し症状がある、軽い」「症状がある、辛い」「症状が醜い、重い」となっている。レーダーチャート１６の各頂点の外側にはそれぞれの症状１００ａ「喉の痛み」、１０１ａ「腹痛」、１０２ａ「熱っぽい」、１０３ａ「吐き気」、１０４ａ「鼻水」および１０５ａ「せき」が記載されている。また、略右下には、症状を発症した時期を記載するための直線の時間軸１９が記載されている。時間軸は「２週間前」「１週間前」「５日前」「３日前」「２日前」「１日前」で区切られている。略上部には、患者が本実施例の問診シート２ａにするべき作業「当てはまる項目にチェックしてください。」という指示が記載されている。【００３０】  図６に、本発明の問診セットにおける問診シートの「定期薬用」を示す。図示のように本実施例では、略中央部に薄く大きな文字で背景１８ｂとして「定期薬」が記載されている。その上に重ねて、症状の強度を四段階で表現することのできる正六角形のレーダーチャート１６ｂが記載されている。症状の強度の段階数や、レーダーチャートの形は特に制限されないが、本実施例ではそれぞれ四段階、正六角形としている。レーダーチャート１６ｂの四段階の強度の説明書き１７ｂが、略左下部に記載されている。段階は、レーダーチャートの外側に行くほど強くなっており、内側から順に「減った」「変化なし」「増えた」「非常に増えた」となっている。レーダーチャート１６ｂの各頂点の外側にはそれぞれの症状１００ｂ「お酒」、１０１ｂ「食事」、１０２ｂ「ストレス」、１０３ｂ「運動」、１０４ｂ「睡眠」および１０５ｂ「煙草」が記載されている。略上部には、患者への気遣いの言葉「最近お変わりありませんか？」と、その下部に患者が本実施例の問診シート２ｂにするべき作業「当てはまる項目にチェックしてください。」という指示が記載されている。【００３１】  図７に、本発明の問診セットにおける問診シートの「痛み用」を示す。図示のように本実施例では、略中央部に薄く大きな文字で背景１８ｃとして「痛み」が記載されている。その上に重ねて、中央左側に人体図２０が記載されており、中央右側に痛みの強度とその時間変化を表すグラフ２１が記載されている。人体図２０は、人間の全身を正面から見たシルエットになっており、痛みを感じる場所を記入するためのものである。グラフ２１は、縦軸に三段階の痛みの強度が記載されており、横軸には時間軸がとってある。縦軸は下から順に「少し痛い」「痛い」「激痛」の三段階、横軸は左から「３日前」「２日前」「１日前」「半日前」「３時間前」「１時間前」で区切られている。グラフ２１内には、前記の区切りごとに点線が引いてあり、縦軸の項目と横軸の項目の交点がわかるようになっている。略上部には、患者が本実施例の問診シート２ｃにするべき作業「痛みのある部分に○してください。」「いつからどれくらい痛いかチェックして下さい」という指示が記載されている。【００３２】  図８に、本発明の問診セットにおける問診シートの「その他用」を示す。図示のように本実施例では、略中央部に薄く大きな文字で背景１８ｄとして「その他」が記載されている。その上に重ねて、前記１３ａ「風邪」、１３ｂ「定期薬」、１３ｃ「痛み」以外で考えられる来院目的２２が箇条書きで列挙してある。本実施例においては「インフルエンザ注射」「不安感」「下痢、便秘」「むくみ」「不眠」「めまい」「だるい」「かゆみ」「アトピー性皮膚炎」「花粉症」「その他」が来院目的２２の項目として箇条書きされている。「その他」の項目の下には、患者が自分で来院目的を記入できる欄が設けられている。略上部には、患者が本実施例の問診シート２ｄにするべき作業「当てはまる項目にチェックして下さい。」という指示が記載されている。【００３３】  図９から図１３に、本実施例の問診シート２ａ、２ｂ、２ｃおよび２ｄを使用する状態を示す。本実施例の問診シートは、患者が来院し、前記診察券１ａと前記診察券ケース１ｂによって来院目的情報を提示した後、提示された来院目的情報１３ａに対しては問診シート２ａを、来院目的情報１３ｂに対しては問診シート２ｂを、来院目的情報１３ｃに対しては問診シート２ｃを、来院目的情報１３ｄに対しては問診シート２ｄを患者に手渡し、患者はそれに記入をする。以下に、記入例を示す。【００３４】  図９に、「風邪用」の問診シート２ａへの記入例を示す。図示のように、折れ線２３ａによってレーダーチャート１６ａの各項目を結ぶことにより、患者の現在の総合的な症状を表現することが可能である。同図によれば、項目１００ａ「喉の痛み」および項目１０２ａ「熱っぽい」では「症状が重い、醜い」が選択され、項目１０５ａ「せき」では「症状がある、辛い」が選択され、項目１０１ａ「腹痛」、項目１０３ａ「吐き気」および項目１０４ａ「鼻水」では「少し症状がある、軽い」が選択されている。また時間軸１９においては、「二日前」の項目が選択されている。【００３５】  図１０に、「定期薬用」の問診シート２ｂへの記入例を示す。図示のように、折れ線２４ｂによってレーダーチャート１６ｂの各項目を結ぶことにより、患者の総合的な生活環境の変化を表現することが可能である。同図によれば、項目１０１ｂ「食事」では「非常に増えた」が選���され、項目１００ｂ「お酒」、項目１０２ｂ「ストレス」および項目１０５ｂ「煙草」では「増えた」が選択され、項目１０３ｂ「運動」および項目１０４ｂ「睡眠」では「変化なし」が選択されている。【００３６】  図１１に、「痛み用」の問診シート２ｃへの記入例を示す。図示のように、人体図２０に○をつけることにより痛みがある場所を表現することが可能である。同図によれば、患者は頭痛があることが読み取れる。また、グラフ２１に折れ線２３ｃを記入することで、患者の痛みの時間的変化を表現することが可能である。同図によれば、１日前には「少し痛い」、半日前には「痛い」、３時間前には「激痛」、１時間前には「痛い」であったことを読み取ることが可能である。【００３７】  図１２に、「その他用」の問診シート２ｄへの記入例を示す。図示のように、項目２２にチェックをいれることで来院目的を示すことができる。同図によれば、患者はインフルエンザ注射を打ちにきたことを読み取ることができる。【００３８】  医師は患者が書いた問診シート２ａまたは２ｂまたは２ｃまたは２ｄを患者から受け取り、診察および患者とのコミュニケーションに利用する。その際、図１３に示したように、典型的な症状を記載したシート２ｅを事前に用意しておく。同図の例では、インフルエンザの典型的な症状を記載してある。【００３９】  患者が書いた問診シート２ａまたは２ｂまたは２ｃまたは２ｄを診察および患者とのコミュニケーションに利用する際の利用例として、図１４のように、複数枚のシートを重ねて使うことが考えられる。同図では、風邪の問診シート２ａを二枚重ね、比較する例を示している。他にも、典型的な症状を記載したシート２ｅを重ね合わせ、患者に示すことでよりわかりやすい説明をすることが可能となる。
【図面の簡単な説明】
【００４０】
【図１】診察券の表面の正面図である。
【図２】診察券の裏面の正面図である。
【図３】診察券ケースの裏面の正面図である。
【図４】診察券ケースに診察券を挿入する際の図である。
【図５】風邪用の問診シートの表面の正面図である。
【図６】定期薬用の問診シートの表面の正面図である。
【図７】痛み用の問診シートの表面の正面図である。
【図８】その他用の問診シートの表面の正面図である。
【図９】風邪用の問診シートの記入例である。
【図１０】定期薬用の問診シートの記入例である。
【図１１】痛み用の問診シートの記入例である。
【図１２】その他用の問診シートの記入例である。
【図１３】インフルエンザの典型的な症状例を示したシートである。
【図１４】記入された風邪用の問診シートを二枚重ねて透かして見ている例である。
【符号の説明】
【００４１】１ａ  診察券の本体
１ｂ  診察券ケースの本体
２ａ  風邪用問診シートの本体
２ｂ  定期薬用問診シートの本体
２ｃ  痛み用問診シートの本体
２ｄ  その他用問診シートの本体
２ｅ  典型的な症状を記載したシートの本体
１１  診察券表面上の可変情報部
１２  診察券表面上の固定情報部
１３ａ、１３ｂ、１３ｃ、１３ｄ  診察券裏面上の来院目的を表す印字
１４  診察券ケース裏面に印刷された塗りつぶし部分
１５  診察券ケース裏面に印刷された「です。」の文字部分
１６ａ、１６ｂ  レーダーチャート
１７ａ、１７ｂ、１７ｅ  レーダーチャートの各項目の強度を示す説明書き
１８ａ、１８ｂ、１８ｃ、１８ｄ、１８ｅ  背景文字部分
１９  風邪用問診表に印刷された、発症時期を記入するための時間軸
２０  人体図
２１  痛みの強度と時間変化をあらわすグラフ
２２  「その他」の項目
２３ａ、２３ｂ、２３ｃ、２３ｄ  各問診シートに患者が記入した部分
２４ａ  前記診察券ケースの開口部分
２４ｂ  前記診察券ケースの、前記２４ａの対辺
２４ｃ、２４ｄ  前記診察券ケースの前記２４ａ、２４ｂ以外の辺
１００ａ、１０１ａ、１０２ａ、１０３ａ、１０４ａ、１０５ａ、１００ｂ、１０１ｂ、１０２ｂ、１０３ｂ、１０４ｂ、１０５ｂ、１００ｅ、１０１ｅ、１０２ｅ、１０３ｅ、１０４ｅ、１０５ｅ  レーダーチャートの各頂点に記載された項目
【図１】
2008168606.tif 000003
【図２】
2008168606.tif 000004
【図３】
2008168606.tif 000005
【図４】
2008168606.tif 000006
【図５】
2008168606.tif 000007
【図６】
2008168606.tif 000008
【図７】
2008168606.tif 000009
【図８】
2008168606.tif 000010
【図９】
2008168606.tif 000011
【図１０】
2008168606.tif 000012
【図１１】
2008168606.tif 000013
【図１２】
2008168606.tif 000014
【図１３】
2008168606.tif 000015
【図１５】
2008168606.tif 000016
【手続補正書】
【提出日】平成19年3月12日(2007.3.12)
【手続補正１】
【補正対象書類名】図面
【補正対象項目名】全図
【補正方法】変更
【補正の内容】
【図１】
2008168606.tif 000017
【図２】
2008168606.tif 000018
【図３】
2008168606.tif 000019
【図４】
2008168606.tif 000020
【図５】
2008168606.tif 000021
【図６】
2008168606.tif 000022
【図７】
2008168606.tif 000023
【図８】
2008168606.tif 000024
【図９】
2008168606.tif 000025
【図１０】
2008168606.tif 000026
【図１１】
2008168606.tif 000027
【図１２】
2008168606.tif 000028
【図１３】
2008168606.tif 000029
【図１４】
2008168606.tif 000030